(57)【要約】【課題】複数の端末装置が緊急通報を受信した場合に、緊急事態の発生を適切に通知できる技術を提供する。【解決手段】端末装置１０において、受信部４６は、複数の他の端末装置１０から複数の信号を受信する。設定部５４は、受信部４６が複数の緊急信号を受信した際に、複数の緊急信号の送信元である複数の他の端末装置１０に対する優先順位を設定する。通知部３４は、設定部５４で設定された優先順位に基づいて、緊急信号を送信した複数の他の端末装置１０の情報を通知する。【選択図】図５
2019159398.tif 000002
【特許請求の範囲】
【請求項１】
端末装置であって、
複数の他の端末装置から複数の信号を受信する受信部と、
前記受信部が複数の緊急信号を受信した際に、複数の緊急信号の送信元である複数の他の端末装置に対する優先順位を設定する設定部と、
前記設定部で設定された優先順位に基づいて、緊急信号を送信した前記複数の他の端末装置の情報を通知する通知部と、
を備えることを特徴とする端末装置。
【請求項２】
前記受信部は、前記複数の他の端末装置のそれぞれから、緊急信号とともに当該他の端末装置が属するグループを示すグループ単位の情報を受信し、
前記設定部は、前記受信部で受信されたグループ単位の情報に基づいて、優先順位を設定することを特徴とする請求項１に記載の端末装置。
【請求項３】
本端末装置と前記複数の他の端末装置のそれぞれとの距離を演算する演算部を備え、
前記設定部は、前記演算部で演算された距離に基づいて、本端末装置と同じグループの複数の他の端末装置に対する優先順位を設定することを特徴とする請求項２に記載の端末装置。
【請求項４】
本端末装置と前記複数の他の端末装置のそれぞれとの距離を演算する演算部を備え、
前記設定部は、前記演算部で演算された距離に基づいて、前記複数の他の端末装置に対する優先順位を設定することを特徴とする請求項１に記載の端末装置。
【請求項５】
前記受信部は、前記複数の他の端末装置のそれぞれから、緊急信号とともに当該他の端末装置が属するグループを示すグループ単位の情報を受信し、
前記設定部は、前記受信部で受信されたグループ単位の情報に基づいて、前記演算部で演算された距離が同一距離範囲内にある前記複数の他の端末装置に対する優先順位を設定することを特徴とする請求項４に記載の端末装置。
【請求項６】
前記設定部は、最も高い優先順位の他の端末装置と本端末装置との距離が所定の録画開始しきい値以下である場合に、本端末装置と接続したカメラに録画を開始させ、前記カメラに録画を開始させた場合、前記受信部が新たな緊急信号を受信しても、録画開始の契機となった他の端末装置に対する優先順位を最も高く維持することを特徴とする請求項１から５のいずれかに記載の端末装置。
【請求項７】
端末装置における通知方法であって、
複数の他の端末装置から複数の信号を受信するステップと、
前記受信するステップで複数の緊急信号を受信した際に、複数の緊急信号の送信元である複数の他の端末装置に対する優先順位を設定するステップと、
設定された優先順位に基づいて、緊急信号を送信した前記複数の他の端末装置の情報を通知するステップと、
を備えることを特徴とする通知方法。
【発明の詳細な説明】
【技術分野】
【０００１】
本発明は、緊急信号の受信を通知する端末装置および通知方法に関する。
【背景技術】
【０００２】
緊急時などにおいてメッセージを受信した場合に当該メッセージを発信した無線通信端末が既存のグループに属しているか否かを判定し、既存のグループに属していない場合、当該無線通信端末の位置に基づいて、当該無線通信端末の周囲の無線通信端末でグループを作成するサーバが知られている（例えば、特許文献１参照）。サーバは、グループに属する無線通信端末に対し、メッセージを発信した無線通信端末を含む他の無線通信端末（以下、端末装置と呼ぶ）から発信されたメッセージを転送する。
【先行技術文献】
【特許文献】
【０００３】
【特許文献１】特開２０１０−２６８１４４号公報
【発明の概要】
【発明が解決しようとする課題】
【０００４】
特許文献１の技術では、緊急時に新たに作成されたグループ内で通信が行われている状況で、そのグループに属していない別の端末装置が緊急のメッセージを送信した場合、グループが再構成されて、新たなグループが作成される。この場合、最初に緊急のメッセージを発信した端末装置とは通信を継続できなくなり、ユーザは最初の緊急のメッセージに対して対応できない可能性がある。
【０００５】
本発明はこうした状況に鑑みてなされたものであり、その目的は、複数の端末装置が緊急通報を受信した場合に、緊急事態の発生を適切に通知できる端末装置および通知方法を提供することにある。
【課題を解決するための手段】
【０００６】
上記課題を解決するために、本発明のある態様の端末装置は、端末装置であって、複数の他の端末装置から複数の信号を受信する受信部と、受信部が複数の緊急信号を受信した際に、複数の緊急信号の送信元である複数の他の端末装置に対する優先順位を設定する設定部と、設定部で設定された優先順位に基づいて、緊急信号を送信した複数の他の端末装置の情報を通知する通知部と、を備える。
【０００７】
本発明の別の態様は、通知方法である。この方法は、端末装置における通知方法であって、複数の他の端末装置から複数の信号を受信するステップと、受信するステップで複数の緊急信号を受信した際に、複数の緊急信号の送信元である複数の他の端末装置に対する優先順位を設定するステップと、設定された優先順位に基づいて、緊急信号を送信した複数の他の端末装置の情報を通知するステップと、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、複数の端末装置が緊急通報を受信した場合に、緊急事態の発生を適切に通知できる。
【図面の簡単な説明】
【００１０】
【図１】実施の形態に係る通信システムの構成を示す図である。
【図２】図１の基地局装置の構成を示すブロック図である。
【図３】図３（ａ）は、図１の端末装置の正面図であり、図３（ｂ）は、図１の端末装置の側面図である。
【図４】図１のカメラの正面図である。
【図５】図１のカメラシステムの構成を示すブロック図である。
【図６】図１の第１端末装置が緊急信号を送信した場合の第２端末装置、第３端末装置、第５端末装置、第６端末装置の動作を示す図である。
【図７】図１の第４端末装置が緊急信号を送信した場合の第２端末装置、第３端末装置、第５端末装置、第６端末装置の動作を示す図である。
【図８】第１端末装置と第４端末装置から緊急信号を受信した場合に、グループ優先モードの第２端末装置の表示部に表示された情報の例を示す図である。
【図９】第１端末装置と第４端末装置から緊急信号を受信した場合に、距離優先モードの第３端末装置の表示部に表示された情報の例を示す図である。
【図１０】図１の端末装置の緊急信号の送信処理を示すフローチャートである。
【図１１】図１の基地局装置の緊急信号の受信および送信処理を示すフローチャートである。
【図１２】図１の端末装置の緊急信号の受信処理を示すフローチャートである。
【図１３】図１２に続く、図１の端末装置の緊急信号の受信処理を示すフローチャートである。
【図１４】図１３に続く、図１の端末装置の緊急信号の受信処理を示すフローチャートである。
【図１５】図１３に続く、図１の端末装置の緊急信号の受信処理を示すフローチャートである。
【発明を実施するための形態】
【００１１】
実施の形態を具体的に説明する前に、概要を述べる。実施の形態は、複数の端末装置、複数のカメラ、基地局装置を備える業務用無線システムに関する。１組の端末装置とカメラは、無線または有線で互いに接続され、ペアリングされている。ペアリングされた端末装置とカメラは、主に警察官や警備員等のユーザが携帯する。カメラは、ウェアラブルカメラとも呼ばれ、ユーザに装着される。カメラは、ペアリングされた端末装置によって録画の開始および停止が制御される。
【００１２】
業務用無線システムでは、複数の端末装置が含まれたグループが複数形成される。基地局装置は、グループに対して、上りチャネルと下りチャネルを割り当てる。このような状況下において、グループ中の１つの端末装置が、上りチャネルにて通常信号を送信し、当該グループ中の残りの端末装置が、下りチャネルにて通常信号を受信する。通常信号は、通話データなどを含む。さらに、別のグループに対しても同様の処理がなされるが、異なったグループ間での通常信号の通信はなされない。
【００１３】
業務用無線システムには、緊急通報（エマージェンシー）機能が備えられている。これは、緊急に連絡が必要である場合に、端末装置が基地局装置を介して他の端末装置に緊急通報を実行する機能である。緊急通報は、データとして送信されるので短時間で送信終了し、通信回線を占有することはない。端末装置は、緊急通報用のボタンがユーザによって押し下げられると、緊急信号を送信するとともにペアリングされたカメラに録画を開始させる。また、緊急通報用のボタンの代わりに、ユーザが倒れたとき、端末装置に内蔵しているセンサによって倒れたことを検知し、緊急信号を送信するとともにペアリングされたカメラに録画を開始させてもよい。ユーザは、追跡対象者を追跡する場合などに、緊急通報用のボタンを押し下げる。録画された映像は、証拠などとして利用できる。緊急信号送信中の端末装置を除く待ち受け状態の端末装置は、緊急信号を受信した場合、音や表示で緊急事態の発生を知らせる。緊急事態の発生を知らされたユーザは、緊急通報を行ったユーザの応援に向かうことができる。
【００１４】
ここで、複数のユーザが緊急通報を実行する状況が考えられる。この場合、他のユーザは、緊急通報を行ったユーザまでの距離や、緊急通報を行ったユーザの端末装置のグループに応じて、どのユーザの応援に向かうか、または、応援に向かわないか判断することが好ましい。つまり、既述のように、複数の端末装置が緊急通報を受信した場合に、緊急事態の発生を適切に通知することが望まれる。そこで、実施の形態では、複数の緊急信号の送信元である複数の他の端末装置に対する優先順位を設定し、設定された優先順位に基づいて、緊急信号を送信した複数の他の端末装置の情報を通知する。
【００１５】
図１は、実施の形態に係る通信システム２００の構成を示す図である。通信システム２００は、カメラシステム１００と総称される第１カメラシステム１００ａ、第２カメラシステム１００ｂ、第３カメラシステム１００ｃ、第４カメラシステム１００ｄ、第５カメラシステム１００ｅ、第６カメラシステム１００ｆを備える。カメラシステム１００の数は、「６」に限定されない。また、通信システム２００は、基地局装置８０を備える。
【００１６】
第１カメラシステム１００ａは、第１端末装置１０ａ、第１カメラ２０ａを備える。第２カメラシステム１００ｂは、第２端末装置１０ｂ、第２カメラ２０ｂを備える。第３カメラシステム１００ｃは、第３端末装置１０ｃ、第３カメラ２０ｃを備える。第４カメラシステム１００ｄは、第４端末装置１０ｄ、第４カメラ２０ｄを備える。第５カメラシステム１００ｅは、第５端末装置１０ｅ、第５カメラ２０ｅを備える。第６カメラシステム１００ｆは、第６端末装置１０ｆ、第６カメラ２０ｆを備える。
【００１７】
第１端末装置１０ａ、第２端末装置１０ｂ、第３端末装置１０ｃ、第４端末装置１０ｄ、第５端末装置１０ｅ、第６端末装置１０ｆは、端末装置１０と総称される。第１カメラ２０ａ、第２カメラ２０ｂ、第３カメラ２０ｃ、第４カメラ２０ｄ、第５カメラ２０ｅ、第６カメラ２０ｆは、カメラ２０と総称される。
【００１８】
第１端末装置１０ａと第１カメラ２０ａは、ペアリングされており、第１のユーザに携帯される。第２端末装置１０ｂと第２カメラ２０ｂは、ペアリングされており、第２のユーザに携帯される。第３端末装置１０ｃと第３カメラ２０ｃは、ペアリングされており、第３のユーザに携帯される。第４端末装置１０ｄと第４カメラ２０ｄは、ペアリングされており、第４のユーザに携帯される。第５端末装置１０ｅと第５カメラ２０ｅは、ペアリングされており、第５のユーザに携帯される。第６端末装置１０ｆと第６カメラ２０ｆは、ペアリングされており、第６のユーザに携帯される。このように、同一のユーザに携帯される端末装置１０とカメラ２０は、ペアリングされており、無線で接続されている。ペアリングされた端末装置１０とカメラ２０は、有線で接続されてもよい。
【００１９】
カメラ２０は、録画を行うことが可能である。カメラ２０では、ユーザによって、または、ペアリングされた端末装置１０によって、録画の開始および停止が制御される。
【００２０】
図１は、複数の端末装置１０の位置関係も示している。例えば、第１端末装置１０ａと第２端末装置１０ｂの直線距離は、第１端末装置１０ａと第３端末装置１０ｃの直線距離より短い。第１端末装置１０ａと第３端末装置１０ｃの直線距離は、第１端末装置１０ａと第４端末装置１０ｄの直線距離より短い。
【００２１】
第１端末装置１０ａ、第２端末装置１０ｂ、第３端末装置１０ｃは、グループを形成する。このグループをグループＡと呼ぶ。第４端末装置１０ｄ、第５端末装置１０ｅ、第６端末装置１０ｆは、グループを形成する。このグループをグループＢと呼ぶ。１つのグループに含まれる端末装置１０の数は、「３」に限定されない。グループの数は、「２」に限定されない。このように、複数のグループは、複数の端末装置１０をそれぞれ含む。
【００２２】
複数のグループのうちの１つのグループに含まれた１つの端末装置１０は、基地局装置８０を介して、当該グループに含まれた残りの端末装置１０と業務用無線による通信を実行可能な無線端末である。この通信は、通話であったり、データ通信であったりする。業務用無線については公知の技術が使用されればよいので、ここでは詳細な説明を省略する。
【００２３】
基地局装置８０は複数の端末装置１０を管理する。基地局装置８０は、各グループに対して、上りチャネルと下りチャネルを割り当てる。このような状況下において、グループ中の１つの端末装置１０が、上りチャネルにて通常信号を送信し、グループ中の残りの端末装置１０が、下りチャネルにて通常信号を受信する。
【００２４】
図２は、図１の基地局装置８０の構成を示すブロック図である。基地局装置８０は、通信部８４と、制御部９０とを備える。通信部８４は、受信部８６、送信部８８を含み、複数の端末装置１０との間で業務用無線による通信を実行する。制御部９０は、通信部８４を制御する。
【００２５】
受信部８６は、複数のグループのうちの１つのグループに含まれた１つの端末装置１０から、当該グループに割り当てられた上りチャネルにて通常信号を受信する。制御部９０は、受信部８６が通常信号を受信した場合、送信部８８に通常信号を送信させる。送信部８８は、受信部８６で受信された通常信号を、当該グループに割り当てられた下りチャネルにて当該グループに含まれた残りの端末装置１０に送信する。
【００２６】
図３（ａ）は、図１の端末装置１０の正面図であり、図３（ｂ）は、図１の端末装置１０の側面図である。端末装置１０は、正面において、表示部１２と、スピーカ１４とを備え、側面において、緊急通報のための緊急ボタン１６を備える。表示部１２は、各種情報を表示する。スピーカ１４は、音声や報知音等を出力する。緊急ボタン１６は、エマージェンシーボタンとも称され、緊急事態が発生した場合にユーザにより押し下げられ、緊急事態が終了した場合に再度押し下げられる。また、緊急ボタン１６の代わりに、ユーザが倒れたとき、端末装置１０に内蔵しているセンサによって倒れたことを検知し、緊急信号を送信するとともにペアリングされたカメラ２０の録画を開始させてもよい。端末装置１０の外観は、図３の例に限定されない。
【００２７】
図４は、図１のカメラ２０の正面図である。カメラ２０は、正面において、レンズ２２と、録画ボタン２４とを備える。レンズ２２は、後述する撮像部に映像光を入射させる。録画ボタン２４は、手動操作に用いられ、録画を開始するときにユーザにより押し下げられ、録画を停止するときに再度押し下げられる。カメラ２０の外観は、図４の例に限定されない。
【００２８】
図５は、図１のカメラシステム１００の構成を示すブロック図である。端末装置１０は、第１通信部３０、位置判定部３２、通知部３４、第１操作部３６、制御部３８、測位部４０、第２通信部４４、緊急信号判定部４８、グループ判定部４９を含む。第１通信部３０は、送信部４２、受信部４６を含み、業務用無線による通信を実行する。位置判定部３２は、演算部５０、しきい値記憶部５２、設定部５４を含む。通知部３４は、表示部１２、地図情報記憶部５６、通知生成部５８を含む。説明を明瞭にするために、端末装置１０において通話に関する構成は図示を省略している。カメラ２０は、第３通信部７０、撮像部７２、画像記憶部７４、第２操作部７６を含む。図１に示された第１端末装置１０ａから第６端末装置１０ｆの構成は共通であり、第１カメラ２０ａから第６カメラ２０ｆの構成は共通である。
【００２９】
ここでは、説明を明瞭にするために、緊急通報時の処理の順番にしたがって、（１）緊急信号を送信する端末装置１０の処理、（３）基地局装置８０の処理、（３）緊急信号を受信する端末装置１０の処理の順に説明する。
【００３０】
（１）緊急信号を送信する端末装置１０の処理
図１の第１端末装置１０ａと第４端末装置１０ｄのそれぞれが緊急信号を送信する一例について説明する。１つの端末装置１０が緊急信号を送信してもよいし、３つ以上の端末装置１０のそれぞれが緊急信号を送信してもよい。図５において、第１操作部３６は、図３の緊急ボタン１６を備えており、当該緊急ボタン１６が押し下げられると、緊急通報の指示を制御部３８に出力する。この緊急通報の指示は、当該緊急ボタン１６が次に押し下げられるまで有効である。
【００３１】
測位部４０は、ＧＰＳ（Ｇｌｏｂａｌ  Ｐｏｓｉｔｉｏｎｉｎｇ  Ｓｙｓｔｅｍ）の測位機能を有し、本端末装置１０の位置を測位し、測位した結果である位置情報を定期的に取得する。位置情報は、緯度と経度によって示される。位置情報は、高度の情報を含んでもよい。測位部４０は、位置情報を制御部３８、演算部５０、通知生成部５８に出力する。
【００３２】
第１操作部３６から緊急通報の指示が出力された場合、制御部３８は、基地局装置８０へ、緊急信号と、本端末装置１０の位置情報と、本端末装置１０の個別ＩＤと、本端末装置１０のグループＩＤとを送信部４２に送信させる。つまり、本端末装置１０は、基地局装置８０へ、緊急信号、位置情報、個別ＩＤおよびグループＩＤを送信する。個別ＩＤは、緊急信号の送信元である端末装置１０を識別するための識別情報に相当する。グループＩＤは、緊急信号の送信元である端末装置１０が属するグループを示すグループ単位の情報に相当する。緊急信号等は、本端末装置１０のグループに割り当てられた上りチャネルにて送信される。緊急信号等は、通話に用いられる上りチャネルと同じチャネルで送信されてもよいし、異なるチャネルで送信されてもよい。
【００３３】
第１操作部３６からの緊急通報の指示の出力が停止された場合、制御部３８は、緊急信号、位置情報、個別ＩＤおよびグループＩＤの送信を送信部４２に停止させる。緊急ボタン１６が押し下げられてから、緊急ボタン１６が再度押し下げられるまで、緊急信号、個別ＩＤおよびグループＩＤは継続して送信され、位置情報は定期的に送信される。なお、位置情報は、緊急ボタン１６の操作とは無関係に、定期的に送信され続けてもよい。
【００３４】
また、第１操作部３６から緊急通報の指示が出力された場合、制御部３８は、ペアリングされたカメラ２０に録画を開始させる。具体的には、制御部３８は、録画開始指示を第２通信部４４に出力する。第２通信部４４は、カメラ２０の第３通信部７０に録画開始指示を送信する。第２通信部４４と第３通信部７０は、近距離無線通信、例えば、Ｂｌｕｅｔｏｏｔｈ（登録商標）による通信を実行する。第３通信部７０は、撮像部７２に録画指示を出力する。撮像部７２は、録画指示に応じて動画の撮像を行い、撮像データを画像記憶部７４に出力する。画像記憶部７４は、撮像データを記憶する。第１操作部３６からの緊急通報の指示の出力が停止された場合、制御部３８は、録画指示の出力を停止して、ペアリングされたカメラ２０に録画を停止させる。
【００３５】
（２）基地局装置８０の処理
図２の基地局装置８０において、受信部８６は、端末装置１０、すなわち図１の第１端末装置１０ａと第４端末装置１０ｄのそれぞれから、緊急信号、位置情報、個別ＩＤおよびグループＩＤを受信する。制御部９０は、受信部８６が緊急信号等を受信した場合、送信部８８に緊急信号等を送信させる。
【００３６】
送信部８８は、受信部８６が１つのグループに含まれた１つの端末装置１０から緊急信号、位置情報、個別ＩＤおよびグループＩＤを受信した場合、受信部８６で受信された緊急信号、位置情報、個別ＩＤおよびグループＩＤを、当該グループに含まれた残りの端末装置１０および当該グループ以外の端末装置１０に、グループを維持したまま送信する。つまり、送信部８８は、既存のグループを変更することなく、基地局装置８０のカバーエリア内の複数の端末装置１０のうち、緊急信号の送信元の端末装置１０以外の端末装置１０に、緊急信号等を送信する。図１の例では、送信部８８は、グループＡとグループＢを維持したまま、第２端末装置１０ｂ、第３端末装置１０ｃ、第５端末装置１０ｅ、第６端末装置１０ｆに、第１端末装置１０ａから受信した緊急信号等、および、第４端末装置１０ｄから受信した緊急信号等を送信する。緊急信号等は、各グループに割り当てられた下りチャネルにて送信される。緊急信号等は、通話に用いられる下りチャネルと同じチャネルで送信されてもよいし、異なるチャネルで送信されてもよい。
【００３７】
なお、グループが維持されているため、端末装置１０が緊急信号を送信中に受信部８６が１つのグループに含まれた１つの端末装置１０から通常信号を受信した場合にも、送信部８８は、受信部８６で受信された通常信号を、当該グループに含まれた残りの端末装置１０に送信することができる。そのため、端末装置１０が緊急信号を送信中にも、緊急信号の送信前と同じグループでグループ通信を実行できる。
【００３８】
（３）緊急信号を受信する端末装置１０の処理
端末装置１０は、図１の第２端末装置１０ｂ、第３端末装置１０ｃ、第５端末装置１０ｅ、第６端末装置１０ｆのそれぞれに対応し、カメラ２０は、第２カメラ２０ｂ、第３カメラ２０ｃ、第５カメラ２０ｅ、第６カメラ２０ｆのそれぞれに対応する。
【００３９】
図５において、受信部４６は、他の端末装置１０から、基地局装置８０を介して、本端末装置１０のグループに割り当てられた下りチャネルにて受信信号を受信する。ここでは「他の端末装置」とは、緊急信号の送信元である第１端末装置１０ａおよび第４端末装置１０ｄを表す。受信信号は、緊急信号と、当該他の端末装置１０の位置情報と、当該他の端末装置１０の個別ＩＤと、当該他の端末装置１０のグループＩＤとを含む。つまり、受信部４６は、複数の他の端末装置１０から複数の緊急信号を受信する。受信部４６は、受信信号を緊急信号判定部４８に出力する。
【００４０】
緊急信号判定部４８は、受信信号に基づいて、緊急信号が受信されたか否か判定する。緊急信号判定部４８は、緊急信号が受信された場合、緊急信号が受信されたことを示す情報と、受信信号に含まれる他の端末装置１０の位置情報および個別ＩＤとを演算部５０と通知生成部５８に出力する。緊急信号判定部４８は、緊急信号が受信された場合、受信信号に含まれる他の端末装置１０のグループＩＤをグループ判定部４９に出力する。緊急信号判定部４８は、緊急信号が受信された場合、緊急信号が受信された時刻の情報を設定部５４に出力する。緊急信号判定部４８は、緊急信号が受信されていない場合、これらの情報を出力しない。
【００４１】
グループ判定部４９は、緊急信号判定部４８から出力されたグループＩＤに基づいて、他の端末装置１０のグループが本端末装置１０のグループと同一であるか否か判定する。グループ判定部４９は、判定結果およびグループＩＤを設定部５４に出力する。
【００４２】
測位部４０は、本端末装置１０の位置を測位し、測位した結果である位置情報を定期的に取得する。測位部４０は、位置情報を制御部３８、演算部５０、通知生成部５８に出力する。
【００４３】
演算部５０は、受信部４６が緊急信号を受信した場合、本端末装置１０の位置情報と、他の端末装置１０の位置情報とに基づいて、本端末装置１０と他の端末装置１０との距離ｄを演算する。演算部５０は、他の端末装置１０の個別ＩＤと距離ｄを設定部５４に出力する。距離ｄは、直線距離であり、例えば、三平方の定理などを用いて演算できる。三平方の定理を用いる場合、他の端末装置１０の位置情報から位置座標（ａ，ｂ）を導出し、本端末装置１０の位置情報から位置座標（ｃ，ｄ）を導出し、ｄ＝√（（ｃ−ａ）２＋（ｄ−ｂ）２）により演算する。
【００４４】
しきい値記憶部５２は、メモリなどから構成され、図１の所定の録画開始しきい値Ｔｈ１１，Ｔｈ１２と、所定の通知しきい値Ｔｈ２１，Ｔｈ２２とを記憶している。録画開始しきい値Ｔｈ１１と通知しきい値Ｔｈ２１は、グループＡの端末装置１０から送信された緊急信号に対して用いられる。録画開始しきい値Ｔｈ１２と通知しきい値Ｔｈ２２は、グループＢの端末装置１０から送信された緊急信号に対して用いられる。通知しきい値Ｔｈ２１は、録画開始しきい値Ｔｈ１１より大きい。通知しきい値Ｔｈ２２は、録画開始しきい値Ｔｈ１２より大きい。録画開始しきい値Ｔｈ１１，Ｔｈ１２と、通知しきい値Ｔｈ２１，Ｔｈ２２は、計算機シミュレーションまたは実験等により予め設定される。緊急信号の送信元である端末装置１０のグループによらず、共通の録画開始しきい値と共通の通知しきい値が用いられてもよい。
【００４５】
図１の例では、第１端末装置１０ａと第２端末装置１０ｂの距離ｄおよび第１端末装置１０ａと第６端末装置１０ｆの距離ｄは、録画開始しきい値Ｔｈ１１より小さい。第１端末装置１０ａと第３端末装置１０ｃの距離ｄは、録画開始しきい値Ｔｈ１１より大きく、通知しきい値Ｔｈ２１より小さい。第１端末装置１０ａと第５端末装置１０ｅの距離ｄは、通知しきい値Ｔｈ２１より大きい。
【００４６】
第４端末装置１０ｄと第５端末装置１０ｅの距離ｄは、録画開始しきい値Ｔｈ１２より小さい。第４端末装置１０ｄと第３端末装置１０ｃの距離ｄは、録画開始しきい値Ｔｈ１２より大きく、通知しきい値Ｔｈ２２より小さい。第４端末装置１０ｄと第２端末装置１０ｂの距離ｄおよび第４端末装置１０ｄと第６端末装置１０ｆの距離ｄは、通知しきい値Ｔｈ２２より大きい。
【００４７】
設定部５４は、グループＡの他の端末装置１０からの緊急信号の受信に関しては、演算部５０で演算された本端末装置１０と他の端末装置１０との距離ｄと、録画開始しきい値Ｔｈ１１と、通知しきい値Ｔｈ２１とを比較する。
【００４８】
設定部５４は、グループＢの他の端末装置１０からの緊急信号の受信に関しては、演算部５０で演算された本端末装置１０と他の端末装置１０との距離ｄと、録画開始しきい値Ｔｈ１２と、通知しきい値Ｔｈ２２とを比較する。
【００４９】
本端末装置１０は、図６と図７に示すように、設定部５４による比較結果、および、他の端末装置１０のグループが本端末装置１０のグループと同一であるか否かに応じた動作を行う。
【００５０】
図６は、図１の第１端末装置１０ａが緊急信号を送信した場合の第２端末装置１０ｂ、第３端末装置１０ｃ、第５端末装置１０ｅ、第６端末装置１０ｆの動作を示す図である。図７は、図１の第４端末装置１０ｄが緊急信号を送信した場合の第２端末装置１０ｂ、第３端末装置１０ｃ、第５端末装置１０ｅ、第６端末装置１０ｆの動作を示す図である。以下では、図６と図７も適宜参照しながら説明する。
【００５１】
設定部５４は、受信部４６が１つまたは複数の他の端末装置１０から緊急信号を受信した場合、他の端末装置１０のそれぞれに関して以下の設定を行う。
【００５２】
他の端末装置１０のグループが本端末装置１０のグループと同一であり、距離ｄが通知しきい値より大きい場合、設定部５４は、緊急信号の受信の通知設定、個別ＩＤの通知設定、他の端末装置１０の位置に関する情報の非通知設定、録画の非実行設定を行う。
【００５３】
他の端末装置１０のグループが本端末装置１０のグループと同一であり、距離ｄが、録画開始しきい値より大きく、通知しきい値以下の場合、設定部５４は、緊急信号の受信の通知設定、個別ＩＤの通知設定、他の端末装置１０の位置に関する情報の通知設定、録画の非実行設定を行う。
【００５４】
他の端末装置１０のグループが本端末装置１０のグループと同一であり、距離ｄが録画開始しきい値以下の場合、設定部５４は、緊急信号の受信の通知設定、個別ＩＤの通知設定、他の端末装置１０の位置に関する情報の通知設定、録画の開始設定を行う。
【００５５】
他の端末装置１０のグループが本端末装置１０のグループと異なり、距離ｄが通知しきい値より大きい場合、設定部５４は、緊急信号の受信の非通知設定、個別ＩＤとグループＩＤの非通知設定、他の端末装置１０の位置に関する情報の非通知設定、録画の非実行設定を行う。
【００５６】
他の端末装置１０のグループが本端末装置１０のグループと異なり、距離ｄが、録画開始しきい値より大きく、通知しきい値以下の場合、設定部５４は、緊急信号の受信の通知設定、個別ＩＤとグループＩＤの通知設定、他の端末装置１０の位置に関する情報の通知設定、録画の非実行設定を行う。
【００５７】
他の端末装置１０のグループが本端末装置１０のグループと異なり、距離ｄが録画開始しきい値以下の場合、設定部５４は、緊急信号の受信の通知設定、個別ＩＤとグループＩＤの通知設定、他の端末装置１０の位置に関する情報の通知設定、録画の開始設定を行う。
【００５８】
つまり、設定部５４は、受信部４６が１つまたは複数の他の端末装置１０から緊急信号を受信した場合、本端末装置１０との関係が所定の通知条件を満たす１つまたは複数の他の端末装置１０に関する緊急信号の受信の通知設定、個別ＩＤの通知設定を行う。通知条件は、（１）他の端末装置１０のグループが本端末装置１０のグループと同じであること、または、（２）他の端末装置１０のグループが本端末装置１０のグループと異なり、且つ、他の端末装置１０と本端末装置１０との距離ｄが通知しきい値以下であることである。
【００５９】
設定部５４は、緊急信号の受信の通知設定を行った場合、他の端末装置１０のグループが本端末装置１０のグループと異なれば、他の端末装置１０のグループの通知設定を行う。設定部５４は、受信部４６が緊急信号を受信し、且つ、距離ｄが通知しきい値以下の場合に、他の端末装置１０のグループによらず、他の端末装置１０の位置に関する情報の通知設定を行う。設定部５４は、受信部４６が緊急信号を受信し、且つ、距離ｄが録画開始しきい値以下の場合に、他の端末装置１０のグループによらず、録画の開始設定を行う。
【００６０】
設定部５４は、他の端末装置１０毎に、当該他の端末装置１０に関する各情報の通知設定または非通知設定、録画の開始設定または非実行設定を保持する。
【００６１】
設定部５４は、受信部４６が複数の緊急信号を受信した際に、緊急信号の送信元である複数の他の端末装置１０に対する優先順位を設定する。設定部５４は、受信部４６が１つの他の端末装置１０から緊急信号を受信した場合、当該他の端末装置１０に対する優先順位を最も高く設定する。
【００６２】
端末装置１０は、グループ優先モードと距離優先モードのいずれかに設定可能である。グループ優先モードと距離優先モードでは、それぞれ優先順位の設定方法が異なる。同一グループの端末装置１０には同一のモードが設定されてもよいし、グループによらず任意のモードが設定されてもよい。
【００６３】
（グループ優先モード）
グループ優先モードの場合、設定部５４は、受信部４６で受信されたグループ単位の情報に基づいて、本端末装置１０と同じグループの他の端末装置１０に対する優先順位を、本端末装置１０と異なるグループの他の端末装置１０に対する優先順位よりも高く設定する。
【００６４】
設定部５４は、本端末装置１０と同じグループに複数の他の端末装置１０が含まれる場合、演算部５０で演算された距離に基づいて、本端末装置１０と同じグループの複数の他の端末装置１０に対する優先順位を設定する。設定部５４は、本端末装置１０と異なるグループに複数の他の端末装置１０が含まれる場合、距離に基づいて、本端末装置１０と異なるグループの複数の他の端末装置１０に対する優先順位を設定する。
【００６５】
設定部５４は、本端末装置１０と同じグループの複数の他の端末装置１０のうち、距離が所定の第１距離範囲内にある他の端末装置１０に対する優先順位を、距離が第１距離範囲より遠い第２距離範囲内にある他の端末装置１０に対する優先順位よりも高く設定する。
【００６６】
設定部５４は、本端末装置１０と同じグループの複数の他の端末装置１０のうち、距離が第２距離範囲内にある他の端末装置１０に対する優先順位を、距離が第２距離範囲より遠い第３距離範囲内にある他の端末装置１０対する優先順位よりも高く設定する。本端末装置１０と異なるグループの複数の他の端末装置１０に対する優先順位も同様に設定される。
【００６７】
第１距離範囲は、録画開始しきい値以下の範囲である。第２距離範囲は、録画開始しきい値より大きく、通知しきい値以下の範囲である。第３距離範囲は、通知しきい値より大きい範囲である。第１距離範囲、第２距離範囲、第３距離範囲は、他の端末装置１０のグループに応じて異なる。グループによらず共通の録画開始しきい値と共通の通知しきい値が用いられる場合には、第１距離範囲、第２距離範囲、第３距離範囲のそれぞれも共通である。
【００６８】
設定部５４は、１つのグループにおける１つの距離範囲に複数の他の端末装置１０が含まれる場合、受信部４６が当該複数の他の端末装置１０から複数の緊急信号を受信した時刻に基づいて、当該複数の他の端末装置１０に対する優先順位を設定する。設定部５４は、受信部４６が緊急信号を受信した時刻が新しいほど、高い優先順位を設定する。
【００６９】
（距離優先モード）
距離優先モードでは、設定部５４は、演算部５０で演算された距離に基づいて、複数の他の端末装置１０に対する優先順位を設定する。具体的には、設定部５４は、距離が第１距離範囲内にある他の端末装置１０に対する優先順位を、距離が第２距離範囲内にある他の端末装置１０に対する優先順位よりも高く設定する。設定部５４は、距離が第２距離範囲内にある他の端末装置１０に対する優先順位を、距離が第３距離範囲内にある他の端末装置１０に対する優先順位よりも高く設定する。
【００７０】
設定部５４は、同一距離範囲に複数の他の端末装置１０が含まれる場合、距離が当該同一距離範囲内にある当該複数の他の端末装置１０に対する優先順位を、グループ単位の情報に基づいて設定する。具体的には、設定部５４は、距離が１つの距離範囲内にある複数の他の端末装置１０のうち、本端末装置１０と同じグループの他の端末装置１０に対する優先順位を、本端末装置１０と異なるグループの他の端末装置１０に対する優先順位よりも高く設定する。
【００７１】
設定部５４は、１つの距離範囲における１つのグループに複数の他の端末装置１０が含まれる場合、受信部４６が当該複数の他の端末装置１０から複数の緊急信号を受信した時刻に基づいて、当該複数の他の端末装置１０に対する優先順位を設定する。設定部５４は、受信部４６が緊急信号を受信した時刻が新しいほど、高い優先順位を設定する。
【００７２】
設定部５４は、優先順位を設定すると、通知設定がなされた情報の通知指示を優先順位とともに通知部３４に供給する。通知部３４は、設定部５４から通知指示が供給された場合、設定部５４で設定された優先順位に基づいて、緊急信号を送信した複数の他の端末装置１０に優先順位を付けて、通知指示に応じた情報をユーザに通知する。
【００７３】
通知部３４は、設定部５４から緊急信号の受信および個別ＩＤの通知指示が供給された場合、設定部５４で設定された優先順位を付けて、１つまたは複数の他の端末装置１０を識別する情報、および、１つまたは複数の緊急信号の受信をユーザに通知する。他の端末装置１０を識別する情報は、他の端末装置１０の情報とも呼べる。図６と図７に示すように、第２端末装置１０ｂでは、第１端末装置１０ａに関する緊急信号の受信が通知される。第３端末装置１０ｃと第６端末装置１０ｆでは、第１端末装置１０ａと第４端末装置１０ｄの両者に関する緊急信号の受信が通知される。第５端末装置１０ｅでは、第４端末装置１０ｄに関する緊急信号の受信が通知される。
【００７４】
通知部３４は、設定部５４からグループＩＤの通知設定が供給された場合、設定部５４で設定された優先順位を付けて、１つまたは複数の他の端末装置１０のグループＩＤをユーザに通知する。つまり、通知部３４は、緊急信号の受信を通知する場合、他の端末装置１０のグループが本端末装置１０のグループと異なれば、他の端末装置１０のグループを通知する。図７に示すように、第３端末装置１０ｃでは第４端末装置１０ｄに関してグループが通知され、図６に示すように、第６端末装置１０ｆでは第１端末装置１０ａに関してグループが通知される。
【００７５】
通知部３４は、設定部５４から他の端末装置１０の位置に関する情報の通知設定が供給された場合、設定部５４で設定された優先順位を付けて、１つまたは複数の他の端末装置１０の位置に関する情報をユーザに通知する。通知部３４は、本端末装置１０の位置情報と、他の端末装置１０の位置情報とに基づいて、他の端末装置１０の位置に関する情報を生成する。他の端末装置１０の位置に関する情報は、例えば、他の端末装置１０の緯度と経度、距離ｄ、他の端末装置１０の方向、他の端末装置１０との高度差、他の端末装置１０までの経路を含む。図６に示すように、第１端末装置１０ａの位置に関する情報の通知は、第２端末装置１０ｂ、第３端末装置１０ｃ、第６端末装置１０ｆで行われる。図７に示すように、第４端末装置１０ｄの位置に関する情報の通知は、第３端末装置１０ｃ、第５端末装置１０ｅで行われる。
【００７６】
設定部５４は、最も高い優先順位の他の端末装置１０に関する録画の開始設定がなされている場合、録画指示を第２通信部４４に出力する。設定部５４は、最も高い優先順位以外の他の端末装置１０に関する録画の開始設定がなされている場合、この開始設定を非実行とし、録画指示を出力しない。
【００７７】
第２通信部４４は、設定部５４から供給された録画指示を、カメラ２０の第３通信部７０に送信する。第３通信部７０は、撮像部７２に録画指示を出力する。撮像部７２は、録画指示に応じて動画の撮像を行い、撮像データを画像記憶部７４に出力する。画像記憶部７４は、撮像データを記憶する。このような動作は、図６に示すように、第２端末装置１０ｂ、第２カメラ２０ｂで行われ、図７に示すように、第５端末装置１０ｅ、第５カメラ２０ｅで行われる。図６に示す第６端末装置１０ｆ、第６カメラ２０ｆでは、第１端末装置１０ａの優先順位が最も高く設定された場合に、このような動作が行われる。
【００７８】
設定部５４は、カメラ２０に録画を開始させた場合、受信部４６が新たな緊急信号を受信しても、録画開始の契機となった他の端末装置１０に対する優先順位を最も高く維持する。
【００７９】
通知部３４は、例えば、次のように緊急信号の受信を通知する。地図情報記憶部５６は、地図情報を記憶している。通知生成部５８は、地図情報記憶部５６に記憶された地図情報と、本端末装置１０の位置情報と、最も高い優先順位の他の端末装置１０の位置情報とに基づいて、地図データを作成する。地図データは、本端末装置１０の位置から、最も高い優先順位の他の端末装置１０の位置までの経路を含む。地図データは、他の端末装置１０のそれぞれに関して、優先順位、距離、他の端末装置１０の方向、他の端末装置１０との高度差、他の端末装置１０を識別する情報、他の端末装置１０のグループの情報も含む。通知生成部５８は、個別ＩＤに基づいて他の端末装置１０を識別する情報を作成し、グループＩＤに基づいて他の端末装置１０のグループの情報を作成する。他の端末装置１０を識別する情報は、個別ＩＤと同じでもよい。他の端末装置１０のグループの情報は、グループＩＤと同じでもよい。通知生成部５８は、作成された地図データを表示部１２に出力する。表示部１２は、地図データに基づいて、各種情報が含まれた地図を表示する。
【００８０】
通知部３４は、地図の表示に代えて、他の端末装置１０毎に、他の端末装置１０の方向を矢印と文字で表示部１２に表示させ、他の端末装置１０の優先順位、位置、距離、他の端末装置１０を識別する情報、および、他の端末装置１０のグループの情報を文字で表示部１２に表示させてもよい。また、通知部３４は、これらの情報をスピーカ１４に音声で出力させてもよい。
【００８１】
図８は、第１端末装置１０ａと第４端末装置１０ｄから緊急信号を受信した場合に、グループ優先モードの第２端末装置１０ｂの表示部１２に表示された情報の例を示す図である。表示部１２は、優先順位である「１」という文字、第１端末装置１０ａを識別する情報である「ＬＭＲ１１」という文字、第１端末装置１０ａの方向（方角）を示す「ＮＷ」という文字、第１端末装置１０ａの方向を示す矢印、および、距離を示す「３００ｍ」という文字を表示している。表示部１２は、第１端末装置１０ａの位置、即ち緯度と経度を示す「North "xx.xxx", East "xx.xxx"」という文字も表示している。
【００８２】
図９は、第１端末装置１０ａと第４端末装置１０ｄから緊急信号を受信した場合に、距離優先モードの第３端末装置１０ｃの表示部１２に表示された情報の例を示す図である。表示部１２は、第１端末装置１０ａに関して、優先順位である「１」という文字、第１端末装置１０ａを識別する情報である「ＬＭＲ１１」という文字、第１端末装置１０ａの方向（方角）を示す「ＮＮＷ」という文字、第１端末装置１０ａの方向を示す矢印、および、距離を示す「１８００ｍ」という文字を表示している。表示部１２は、第１端末装置１０ａの緯度と経度を示す文字も表示している。
【００８３】
表示部１２は、第４端末装置１０ｄに関して、優先順位である「２」という文字、第４端末装置１０ｄを識別する情報である「ＬＭＲ２１」という文字、第４端末装置１０ｄのグループの情報である「Ｇｒ＿Ｂ」という文字、第４端末装置１０ｄの方向（方角）を示す「ＥＳＥ」という文字、第４端末装置１０ｄの方向を示す矢印、および、距離を示す「２５００ｍ」という文字を表示している。表示部１２は、第４端末装置１０ｄの緯度と経度を示す文字も表示している。
【００８４】
図５に戻る。通知部３４は、受信部４６が緊急信号を受信していない場合、他の端末装置１０を識別する情報、他の端末装置１０のグループの情報、および、緊急信号の受信を非通知とする。また、設定部５４は、受信部４６が緊急信号を受信していない場合、録画指示の出力を停止して、カメラ２０に録画を非実行とさせ、位置通知指示の出力を停止して、通知部３４に他の端末装置１０の位置に関する情報を非通知とさせる。
【００８５】
なお、端末装置１０が緊急信号を送信も受信もしていない場合に、カメラ２０の第２操作部７６に含まれる図４の録画ボタン２４がユーザにより押し下げられると、撮像部７２は動画の撮像を行い、画像記憶部７４は、撮像データを記憶する。つまり、手動で録画を行うこともできる。
【００８６】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００８７】
図１０は、図１の端末装置１０の緊急信号の送信処理を示すフローチャートである。緊急ボタン１６が操作された場合（Ｓ１０のＹ）、送信部４２は、緊急信号、個別ＩＤ、グループＩＤおよび位置情報を送信する（Ｓ１２）。制御部３８は、ペアリングされたカメラ２０に録画を開始させる（Ｓ１４）。緊急ボタン１６が操作されない場合（Ｓ１０のＮ）、待機する。
【００８８】
図１１は、図１の基地局装置８０の緊急信号の受信および送信処理を示すフローチャートである。この処理は、定期的に行われる。受信部８６が緊急信号を受信した場合（Ｓ２０のＹ）、受信部８６は、個別ＩＤ、グループＩＤおよび位置情報を受信する（Ｓ２２）。送信部８８は、通信システム２００の残りの端末装置１０に、緊急信号、個別ＩＤ、グループＩＤおよび位置情報を送信する（Ｓ２４）。受信部８６が緊急信号を受信しない場合（Ｓ２０のＮ）、処理を終了する。
【００８９】
図１２は、図１の端末装置１０の緊急信号の受信処理を示すフローチャートである。図１２は、一例として、グループＡの端末装置１０の処理を示す。この処理は、定期的に行われる。受信部４６が緊急信号を受信していない場合（Ｓ３０のＮ）、設定部５４は通知設定と録画設定を解除して（Ｓ３２）、処理を終了する。受信部４６が緊急信号を受信した場合（Ｓ３０のＹ）、受信部４６は、緊急信号の送信元である他の端末装置１０の個別ＩＤ、他の端末装置１０のグループＩＤ、および、他の端末装置１０の位置情報を受信する（Ｓ３４）。
【００９０】
測位部４０は、本端末装置１０の位置情報を取得する（Ｓ３６）。演算部５０は、他の端末装置１０と本端末装置１０との距離ｄを演算する（Ｓ３８）。他の端末装置１０と本端末装置１０が同じグループである場合（Ｓ４０のＹ）、設定部５４は、距離ｄ、録画開始しきい値Ｔｈ１１、通知しきい値Ｔｈ２１を比較する（Ｓ４２）。
【００９１】
距離ｄが通知しきい値Ｔｈ２１より大きい場合、設定部５４は、緊急信号の受信の通知設定、個別ＩＤの通知設定、他の端末装置１０の位置に関する情報の非通知設定、録画の非実行設定を行う（Ｓ４４）。
【００９２】
距離ｄが、録画開始しきい値Ｔｈ１１より大きく、通知しきい値Ｔｈ２１以下の場合、設定部５４は、緊急信号の受信の通知設定、個別ＩＤの通知設定、他の端末装置１０の位置に関する情報の通知設定、録画の非実行設定を行い（Ｓ４６）、図１３のステップＳ５８に移る。
【００９３】
距離ｄが録画開始しきい値Ｔｈ１１以下の場合、設定部５４は、緊急信号の受信の通知設定、個別ＩＤの通知設定、他の端末装置１０の位置に関する情報の通知設定、録画の開始設定を行い（Ｓ４８）、図１３のステップＳ５８に移る。
【００９４】
一方、他の端末装置１０と本端末装置１０が同じグループでない場合（Ｓ４０のＮ）、図１３のステップＳ５０の処理に移る。
【００９５】
図１３は、図１２に続く、図１の端末装置１０の緊急信号の受信処理を示すフローチャートである。設定部５４は、距離ｄ、録画開始しきい値Ｔｈ１２、通知しきい値Ｔｈ２２を比較する（Ｓ５０）。
【００９６】
距離ｄが通知しきい値Ｔｈ２２より大きい場合、設定部５４は、緊急信号の受信の非通知設定、個別ＩＤとグループＩＤの非通知設定、他の端末装置１０の位置に関する情報の非通知設定、録画の非実行設定を行い（Ｓ５２）、ステップＳ５８に移る。
【００９７】
距離ｄが、録画開始しきい値Ｔｈ１２より大きく、通知しきい値Ｔｈ２２以下の場合、設定部５４は、緊急信号の受信の通知設定、個別ＩＤとグループＩＤの通知設定、他の端末装置１０の位置に関する情報の通知設定、録画の非実行設定を行い（Ｓ５４）、ステップＳ５８に移る。
【００９８】
距離ｄが録画開始しきい値Ｔｈ１２以下の場合、設定部５４は、緊急信号の受信の通知設定、個別ＩＤとグループＩＤの通知設定、他の端末装置１０の位置に関する情報の通知設定、録画の開始設定を行い（Ｓ５６）、ステップＳ５８に移る。
【００９９】
グループ優先モードに設定されている場合（Ｓ５８のＹ）、図１４のステップＳ６０に移る。グループ優先モードに設定されていない場合（Ｓ５８のＮ）、即ち距離優先モードに設定されている場合、図１５のステップＳ８０に移る。
【０１００】
図１４は、図１３に続く、図１の端末装置１０の緊急信号の受信処理を示すフローチャートである。最も高い優先順位に関して録画中でない場合（Ｓ６０のＮ）、設定部５４は、グループ単位の情報に基づいて、他の端末装置１０に対する優先順位を設定する（Ｓ６２）。
【０１０１】
設定部５４は、グループ毎に、距離に基づいて優先順位を設定し、同じ距離範囲内に複数の他の端末装置１０がある場合には緊急信号の受信時刻に基づいて優先順位を設定する（Ｓ６４）。設定部５４は、通知設定を実行し、最も高い優先順位の録画の開始設定のみを実行し（Ｓ６６）、処理を終了する。
【０１０２】
最も高い優先順位に関して録画中の場合（Ｓ６０のＹ）、設定部５４は、最も高い優先順位を維持し、録画状態を維持する（Ｓ６８）。設定部５４は、最も高い優先順位を除き、グループ単位の情報に基づいて、他の端末装置１０に対する優先順位を設定する（Ｓ７０）。設定部５４は、グループ毎に、距離に基づいて優先順位を設定し、同じ距離範囲内に複数の他の端末装置１０がある場合には緊急信号の受信時刻に基づいて優先順位を設定する（Ｓ７２）。設定部５４は、通知設定を実行し（Ｓ７４）、処理を終了する。
【０１０３】
図１５は、図１３に続く、図１の端末装置１０の緊急信号の受信処理を示すフローチャートである。最も高い優先順位に関して録画中でない場合（Ｓ８０のＮ）、設定部５４は、距離に基づいて、他の端末装置１０に対する優先順位を設定する（Ｓ８２）。
【０１０４】
同一距離範囲の複数の他の端末装置１０がある場合（Ｓ８４のＹ）、設定部５４は、距離範囲毎に、グループに基づいて優先順位を設定し、同一グループの複数の他の端末装置１０がある場合には緊急信号の受信時刻に基づいて優先順位を設定する（Ｓ８６）。設定部５４は、通知設定と録画の開始設定を実行し（Ｓ８８）、処理を終了する。ステップＳ８４で同一距離範囲の複数の他の端末装置１０がない場合（Ｓ８４のＮ）、ステップＳ８８に移る。
【０１０５】
最も高い優先順位に関して録画中の場合（Ｓ８０のＹ）、設定部５４は、最も高い優先順位を維持し、録画状態を維持する（Ｓ９０）。設定部５４は、最も高い優先順位を除き、距離に基づいて、他の端末装置１０に対する優先順位を設定する（Ｓ９２）。
【０１０６】
同一距離範囲の複数の他の端末装置１０がある場合（Ｓ９４のＹ）、設定部５４は、距離範囲毎に、グループに基づいて優先順位を設定し、同一グループの複数の他の端末装置１０がある場合には緊急信号の受信時刻に基づいて優先順位を設定する（Ｓ９６）。設定部５４は、通知設定を実行し（Ｓ９８）、処理を終了する。ステップＳ９４で同一距離範囲の複数の他の端末装置１０がない場合（Ｓ９４のＮ）、ステップＳ９８に移る。
【０１０７】
本実施の形態によれば、設定された優先順位に基づいて複数の他の端末装置１０の情報および複数の緊急信号の受信を通知するので、どの緊急信号の受信に対応するかを優先順位に基づいてユーザに容易に判断させることができる。したがって、複数の端末装置１０が緊急通報を受信した場合に、緊急事態の発生を適切に通知できる。
【０１０８】
グループ優先モードでは、本端末装置１０と同じグループの他の端末装置１０に対する優先順位をより高く設定するので、同じグループの他の端末装置１０による緊急通報をユーザに容易に認識させることができる。また、本端末装置１０と同じグループの複数の他の端末装置１０に対する優先順位を距離に基づいて設定するので、同じグループであって最も近い位置の他の端末装置１０による緊急通報をユーザに容易に認識させることができる。また、１つのグループにおける１つの距離範囲の複数の他の端末装置１０から複数の緊急信号を受信した時刻に基づいて、当該複数の他の端末装置１０に対する優先順位を設定するので、これらの中でより新しい緊急通報をユーザに容易に認識させることができる。
【０１０９】
距離優先モードでは、距離に基づいて複数の他の端末装置１０に対する優先順位を設定するので、グループによらず、より近い位置の他の端末装置１０による緊急通報をユーザに容易に認識させることができる。また、距離が同一距離範囲内にある複数の他の端末装置１０に対する優先順位を、グループ単位の情報に基づいて設定するので、同一距離範囲内にある同じグループの他の端末装置１０による緊急通報をユーザに容易に認識させることができる。また、１つの距離範囲における１つのグループの複数の他の端末装置１０から緊急信号を受信した時刻に基づいて、当該複数の他の端末装置１０に対する優先順位を設定するので、これらの中でより新しい緊急通報をユーザに容易に認識させることができる。
【０１１０】
グループ優先モードと距離優先モードにおいて、カメラ２０に録画を開始させた場合、新たな緊急信号を受信しても、録画開始の契機となった他の端末装置１０に対する優先順位を最も高く維持するので、当該他の端末装置１０による緊急通報をユーザに優先的に認識させ続けることができる。
【０１１１】
基地局装置８０は、１つのグループに含まれた１つの端末装置１０から緊急信号を受信した場合、受信された緊急信号を、当該グループに含まれた残りの端末装置１０および当該グループ以外の端末装置１０に送信するので、グループによらず端末装置１０に緊急通報を実行できる。このとき、グループを維持したまま緊急信号を送信するので、緊急信号を送信した場合にもグループ内で通信を実行できる。したがって、緊急時において、グループによらず端末装置１０に緊急通報を実行できるとともに、グループ内で通信を実行できる。
【０１１２】
基地局装置８０は、緊急信号を送信するときに、グループを変更する処理や、新たなグループを形成する処理を行う必要がないため、簡素な処理で緊急通報を実行できる。
【０１１３】
基地局装置８０は、１つの端末装置１０から緊急信号に加えて当該端末装置１０の位置を示す位置情報を受信した場合、この位置情報も、グループに含まれた残りの端末装置１０および当該グループ以外の端末装置１０に送信するので、緊急信号を受信した端末装置１０は、緊急信号の送信元である端末装置１０までの距離ｄを演算できる。よって、緊急信号を受信した端末装置１０は、緊急時において、距離ｄに応じた適切な処理を行うことができる。
【０１１４】
基地局装置８０は、１つの端末装置１０から緊急信号に加えて当該端末装置１０のグループ単位の情報を受信した場合、このグループ単位の情報も、グループに含まれた残りの端末装置１０および当該グループ以外の端末装置１０に送信するので、緊急信号を受信した端末装置１０は、緊急時において、グループに応じた適切な処理を行うことができる。
【０１１５】
基地局装置８０は、１つの端末装置１０から緊急信号に加えて当該端末装置１０の識別情報を受信した場合、この識別情報も、グループに含まれた残りの端末装置１０および当該グループ以外の端末装置１０に送信するので、緊急信号を受信した端末装置１０は、緊急時において、緊急信号の送信元である端末装置１０を識別する情報を通知できる。
【０１１６】
本端末装置１０は、他の端末装置１０から緊急信号を受信し、且つ、距離ｄが録画開始しきい値以下の場合に、他の端末装置１０のグループによらず、カメラ２０に録画を開始させるので、撮影対象に接近したカメラ２０のみが録画を開始する。これにより、撮像範囲に追跡対象者が入らないカメラ２０による不必要な録画を防ぐことができる。
【０１１７】
撮影対象から離れており、緊急通報を行ったユーザとは異なる指令に基づいて異なる業務を行っており応援に向かうことができないユーザのカメラ２０で録画が開始されてしまうと、このユーザの行動に支障をきたす恐れがある。このようなユーザのカメラ２０に録画を開始させないようにできるので、ユーザの行動を妨げないようにできる。よって、緊急時において、適切にカメラ２０に録画を開始させることができる。
【０１１８】
本端末装置１０は、他の端末装置１０から緊急信号を受信し、且つ、距離ｄが通知しきい値以下の場合に、他の端末装置１０のグループによらず、他の端末装置１０の位置に関する情報を本端末装置１０のユーザに通知するので、ユーザが進むべき方向や撮影対象の方向を示すことができる。よって、ユーザに緊急通報に対する的確な行動を行わせることができる。また、撮影対象から離れており、異なる指令に基づいて異なる業務を行っており応援に向かうことができないユーザに他の端末装置１０の位置に関する情報を通知しないようにできるので、不必要な通知を抑制できる。
【０１１９】
本端末装置１０は、他の端末装置１０から緊急信号を受信した場合、（１）他の端末装置１０のグループが本端末装置１０のグループと同じであるか、（２）他の端末装置１０のグループが本端末装置１０のグループと異なり、且つ、距離ｄが通知しきい値以下であれば、他の端末装置１０を識別する情報および緊急信号の受信を通知する。そのため、緊急時において、通知の必要性の高い端末装置１０では緊急信号の受信等を通知し、通知の必要性の低い端末装置１０では緊急信号の受信等を非通知にできる。
【０１２０】
本端末装置１０は、緊急信号の受信を通知する場合、他の端末装置１０のグループが本端末装置１０のグループと異なれば、他の端末装置１０のグループも通知するので、緊急信号の受信を通知された本端末装置１０のユーザに、緊急信号の送信元である他の端末装置１０のグループを認識させることができる。よって、緊急信号の受信を通知された本端末装置１０のユーザは、グループ内の残りの端末装置１０に対して、緊急事態が発生しているユーザのグループをグループ通信によって知らせることができる。また、他の端末装置１０を識別する情報が、本端末装置１０のグループ中のいずれかの端末装置１０を識別する情報と同じ場合にも、他の端末装置１０が異なるグループのものであることをユーザに認識させることができる。
【０１２１】
他の端末装置１０は、緊急信号を送信中、定期的に自身の位置情報も送信するので、他の端末装置１０のユーザと本端末装置１０のユーザの双方が移動中の場合でも、本端末装置１０のユーザは他の端末装置１０のユーザに対して的確に近づくことができる。
【０１２２】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【０１２３】
例えば、通知部３４は、受信部４６が緊急信号を受信した場合、他の端末装置１０のグループが本端末装置１０のグループと異なり、且つ、距離ｄが録画開始しきい値以下であれば、緊急信号を受信したこと、他の端末装置１０を識別する情報、および、他の端末装置１０のグループを通知してもよい。通知部３４は、受信部４６が緊急信号を受信した場合、他の端末装置１０のグループが本端末装置１０のグループと異なり、且つ、距離ｄが録画開始しきい値より大きい場合に、緊急信号を受信したこと、他の端末装置１０を識別する情報、および、他の端末装置１０のグループを非通知にしてもよい。この処理も、通知部３４が、緊急信号の受信を通知する場合、他の端末装置１０のグループが本端末装置１０のグループと異なれば、他の端末装置１０のグループも通知することに相当する。この変形例によれば、他の端末装置１０のグループとは異なるグループのユーザに対しては、実施の形態と比較して通知を抑制できる。
【０１２４】
演算部５０は、直線距離の演算に代えて、本端末装置１０の位置情報と、他の端末装置１０の位置情報と、地図情報記憶部５６の地図情報とに基づいて、本端末装置１０から他の端末装置１０までの経路の距離を演算してもよい。この変形例では、ユーザが実際に移動する経路の距離に基づいてカメラ２０の動作を制御できる。
【０１２５】
端末装置１０が測位部４０を備える一例について説明したが、カメラ２０が測位部を備え、この測位部が位置情報を端末装置１０に供給してもよい。また、他の端末装置１０の位置に関する情報が端末装置１０の表示部１２に表示される一例について説明したが、カメラ２０が表示部を備え、通知部３４は、他の端末装置１０の位置に関する情報をカメラ２０の表示部に表示させ、この表示部を介して情報をユーザに通知してもよい。これらの変形例によれば、構成の自由度を向上できる。
【符号の説明】
【０１２６】
１０…端末装置、２０…カメラ、３４…通知部、４６…受信部、５０…演算部、５４…設定部、１００…カメラシステム、２００…通信システム。
【図１】
2019159398.tif 000003
【図２】
2019159398.tif 000004
【図３】
2019159398.tif 000005
【図４】
2019159398.tif 000006
【図５】
2019159398.tif 000007
【図６】
2019159398.tif 000008
【図７】
2019159398.tif 000009
【図８】
2019159398.tif 000010
【図９】
2019159398.tif 000011
【図１０】
2019159398.tif 000012
【図１１】
2019159398.tif 000013
【図１２】
2019159398.tif 000014
【図１３】
2019159398.tif 000015
【図１４】
2019159398.tif 000016
【図１５】
2019159398.tif 000017